(57)【要約】【課題】複数の光源を有していても、一括して取付・交換を行うことができる一体化された光源ユニットを提供する。【解決手段】発光装置１に装着して使用される光源ユニット３であって、長手方向両端に電極３４ａ，３４ｂを有する複数の線状光源３０が、線状光源３０の長手方向に対して直交する方向に所定間隔をおいて並設された状態で連結具３１にて連結されているとともに、前記発光装置１に対して一体的に着脱可能である。【選択図】　　　図５
2004039392.tif 000002
【特許請求の範囲】
【請求項１】
発光装置に装着して使用される光源ユニットであって、
長手方向両端に電極を有する複数の線状光源が、線状光源の長手方向に対して直交する方向に所定間隔をおいて並設された状態で連結具にて連結されているとともに、前記発光装置に対して一体的に着脱可能であることを特徴とする光源ユニット。
【請求項２】
複数の線状光源は、当該線状光源を点灯するために前記発光装置に備わっている点灯装置の低圧側出力に接続するための単一のコネクタを備えていることを特徴とする請求項１記載の光源ユニット。
【請求項３】
前記連結具は、前記線状光源の長手方向一端部近傍に取り付けられる第１連結片と、前記線状光源の長手方向他端部に取り付けられる第２連結片とを備えていることを特徴とする請求項１又は２記載の光源ユニット。
【請求項４】
装置本体と、
当該装置本体に設けられた光源と、を備えた発光装置において、
前記光源として、請求項１〜３のいずれかに記載の光源ユニットを備え、
当該光源ユニットは、前記連結具が前記装置本体に対して着脱可能に取り付けられていることを特徴とする発光装置。
【請求項５】
装置本体と、
当該装置本体に設けられた光源と、
当該光源の光を反射するための反射板と、を備えた発光装置において、
前記前記光源として、請求項１〜７のいずれかに記載の光源ユニットを備え、
前記反射板は、前記装置本体と前記光源ユニットの連結具とで挟まれて保持されていることを特徴とする発光装置。
【発明の詳細な説明】
【０００１】
【発明の属する技術分野】
本発明は、Ｘ線写真を観察するシャウカステンや写真のネガを見るためのライトボックスなどの発光装置に用いられる光源ユニット、及び当該光源ユニットを備えた発光装置に関するものである。
【０００２】
【従来の技術】
シャウカステンは、Ｘ線写真の裏側から光を当てて、Ｘ線写真を明瞭に観察するためのものであり、例えば、特開昭５５−１６４８７８号公報に記載のもの（以下、従来技術という）がある。このシャウカステンは、複数本の蛍光灯を内蔵し前面に半透明の透光板を有している。
【０００３】
【発明が解決しようとする課題】
この従来技術では、蛍光灯が複数本備わっているが、個々の蛍光灯はシャウカステン本体に設けられた蛍光灯用ソケットに対してそれぞれ装着されている。したがって、組立時あるいは蛍光灯交換時には蛍光灯を一本ずつ取り付けたり、取り外したりする必要があり、作業に手間がかかるものであった。
しかも、蛍光灯を一本ずつ交換できるため、すべての蛍光灯が一度にまとめて交換されないこともあり、例えば点灯しなくなった蛍光灯のみが交換されることがある。したがって、新旧の蛍光灯が混ざった状態となりやすく、新しい蛍光灯と旧い蛍光灯では明るさが異なるため、発光ムラが生じる原因となる。
発光ムラが生じると、発光装置としての発光品位が低下し、特にシャウカステンの場合、Ｘ線写真の正確な読影を妨げる。
【０００４】
本発明は、かかる事情に鑑みてなされたものであって、その課題は、複数の光源を有していても、一括して取付・交換を行うことができる一体化された光源ユニット及び当該光源ユニットを備えた発光装置を提供することにある。
【０００５】
【課題を解決するための手段】
光源ユニットに係る本発明は、発光装置に装着して使用される光源ユニットであって、長手方向両端に電極を有する複数の線状光源が、線状光源の長手方向に対して直交する方向に所定間隔をおいて並設された状態で連結具にて一体的に連結されているとともに、前記発光装置に対して着脱可能であることを特徴とする。
本発明によると、複数の線状光源が一体的となっているので、複数の線状光源の一括した取付・交換を行うことができる。
【０００６】
さらに、複数の線状光源は、当該線状光源を点灯するために前記発光装置に備わっている点灯装置の低圧側出力に接続するための単一のコネクタを備えているのが好ましく、複数の線状光源が低圧側出力用の単一のコネクタを備えていることで、点灯装置への接続が容易となる。
【０００７】
さらにまた、前記連結具は、前記線状光源の長手方向一端部近傍に取り付けられる第１連結片と、前記線状光源の長手方向他端部に取り付けられる第２連結片とを備えているのが好ましい。連結具が線状光源の長手方向一端部近傍だけに取り付けられていると、連結具は線状光源を片持ち状に保持することになり不安定であるが、線状光源の両端部近傍に取り付けることで光源ユニットの安定化を図ることができる。
【０００８】
発光装置に係る本発明は、装置本体と、当該装置本体に設けられた光源と、を備えた発光装置において、前記光源として、前記光源ユニットを備え、当該光源ユニットは、前記連結具が前記装置本体に対して着脱可能に取り付けられていることを特徴とする。この発光装置によれば、光源ユニット単位で複数の線状光源を一括して交換等することができる。
【０００９】
さらに別の観点からみた発光装置に係る本発明は、装置本体と、当該装置本体に設けられた光源と、当該光源の光を反射するための反射板と、を備えた発光装置において、前記前記光源として、前記光源ユニットを備え、前記反射板は、前記装置本体と前記光源ユニットの連結具とで挟まれて保持されていることを特徴とする。反射板は黄変等によって交換が必要な場合があり、この発光装置によれば、光源ユニットを装置本体から取り外すことで、簡単に反射板も取り外すことができる。
【００１０】
【発明の実施の形態】
以下、本発明の好ましい実施形態を図面に基づいて説明する。ここでは、発光装置の一例として、Ｘ線フィルムを観察するためのシャウカステンを挙げて説明する。このシャウカステン１は、装置本体２内に光源ユニット３を複数備えて構成されている。
装置本体２は、図１に示すように、光源ユニット３が取り付けられるケーシング５と、ケーシング５に着脱可能に装着される発光面構成体６とを備えている。図２に示すように、この装置本体２には、発光面が横向き（図２において左方向き）となるように装置本体２を自立させるための支持台７が取り付けられている。
【００１１】
図３に示すように、前記ケーシング５は、矩形状の底面部８と、底面部８の周縁から立設された側面部９ａ，９ｂ，９ｃ，９ｄとを有するとともに一面（正面）が開口しており、正面開口の箱状に形成されている。なお、図面において符号９ａ，９ｂで示す側面部は長辺側であり、符号９ｃ，９ｄで示す側面部は短辺側である。
【００１２】
前記発光面構成体６は、ケーシング５の正面開口を覆うように当該ケーシング５に装着されている（図１参照）。この発光面構成体６は、発光面となる拡散板１１の周縁にフレーム１２を取り付けて構成されている。拡散板１１は、背後の光源３からの光を拡散しつつ透過させて発光面を形成するものである。この拡散板１１は、矩形状に形成されており、矩形状の発光面となる。
拡散板１１は、白色透明のガラス又は合成樹脂製である。一方、フレーム１２は、金属製であって矩形枠状に形成されており、拡散板１１周縁において拡散板１１を補強している。また、フレーム１２が、後述のネジ５３などによって前記ケーシング５に取り付けられており、フレーム１２は拡散板１１の取付体としても機能している。
【００１３】
前記フレーム１２には、Ｘ線写真固定具１４が設けられており、Ｘ線写真を発光面である拡散板１１上に載せた状態で保持させることができる。具体的には、Ｘ線写真固定具１４と拡散板１１との間にＸ線写真を差し込むことによって、Ｘ線写真が挟み込まれて保持され、複数枚のＸ線写真を並べて置くことができる。
【００１４】
図３は、ケーシング５の内部であって光源ユニット３を取り除いたときの状態を示している。このケーシング５の内部には、底部反射板１６と、光源点灯装置１７ａ−１，１７ａ−２，１７ｂ−１，１７ｂ−２とが設けられている。
底部反射板１６は、光源３から背後（ケーシング底面側）に照射された光を正面（拡散板側）へ反射するためのものであり、複数枚の白色板状（シート状のものを含む）の分割体１６ａ，１６ｂによって構成されている。ここでは、可撓性の合成樹脂製のシート体によって形成した２枚の矩形状の分割体１６ａ，１６ｂを並べて１つの大きな矩形状の反射板領域を形成しているが、分割体の数は特に限定されず、１枚の大きな板状体で反射板１６を構成してもよい。なお、反射体１６全体の大きさは拡散板１１の大きさに略対応している。
【００１５】
反射板１６（が設けられている領域：反射板領域）は、ケーシング５の底部よりも一回り小さい。すなわち、反射板１６の面積（分割体１６ａ，１６ｂの面積の和）は、ケーシング底面部８の面積よりも小さく、底面部８の周縁部に反射板１６が非配置である領域１９ａ，１９ｂ，１９ｃ，１９ｄが確保されている。なお、反射板非配置領域１９ａ，１９ｂ，１９ｃ，１９ｄは、ケーシング側面部９ａ，９ｂ，９ｃ，９ｄの各内面と反射板１６の周縁との間に、それぞれ確保されており、反射板非配置領域１９ａ，１９ｂ，１９ｃ，１９ｄの全体形状は矩形枠状となっている。以下では、対をなす長辺側の反射板非配置領域１９ａ、１９ｂのうちの一方（図３において下側）を第１反射板非配置領域１９ａといい、対をなす長辺側の反射板非配置領域１９ａ，１９ｂのうちの他方（図３において上側）を第２反射板非配置領域１９ｂという。
【００１６】
前記点灯装置１７ａ−１，１７ａ−２，１７ｂ−１，１７ｂ−２は、光源ユニット３の冷陰極管（後述）を点灯させるためのものであり、図４に示すように、回路基板２１の一面２１ａに点灯装置等を構成する電気部品（コイル、コンデンサ、抵抗など）２２を搭載して主構成されている。これらの点灯装置は、インバータ方式であり、光源３を１０ｋＨｚ〜６０ｋＨｚ程度の高周波で点灯させる。なお、蛍光灯を高周波で点灯させると発光効率が向上する。
点灯装置１７ａ−１，１７ａ−２，１７ｂ−１，１７ｂ−２は、光源ユニットの数（４個）に対応して４個設けられ、反射板非配置領域１９ａ，１９ｂに配置されている。具体的には、図３に示すように、２個の点灯装置（以下、第１点灯装置という）１７ａ−１，１７ａ−２が、第１反射板非配置領域１９ａに配置され、他の２個の点灯装置（以下、第２点灯装置という）１７ｂ−１，１７ｂ−２が、第２反射板非配置領域１９ｂに配置されている。
【００１７】
各点灯装置１７ａ−１，１７ａ−２，１７ｂ−１，１７ｂ−２は、帯板状の回路基板２１がケーシング側面部９ａ（又は９ｂ）に並行に沿うように底面部８に対して立設状（縦置き状）にケーシング５に取り付けられている（図１５も参照）。なお、基板２１は、ケーシング５に形成された取付ステー２４に対してネジ等で固定されている。
また、基板２１は、電気部品２２が搭載されている面２１ａとは反対の面２１ｂが側面部９ａ（又は９ｂ）の内面に所定間隔をおいて対向している。また、電気部品２２が設けられている面２１ａが光源ユニット３に臨むように取り付けられている。
【００１８】
点灯装置１７には、点灯装置１７の出力端子となる出力コネクタ部２５ａ，２５ｂが設けられている。出力端子には、高圧側（ＨＯＴ側）と低圧側（ＣＯＬＤ側）とがあり、高圧側のコネクタ部２５ａは、光源ユニット３を構成する後述の線状光源３０の数に応じた数（６個）ほど設けられており、低圧側のコネクタ部２５ｂは、一つだけ設けられている。なお、低圧側出力はアース接続される。また、すべてのコネクタ部２５ａ，２５ｂは、電気部品２２が設けられている面２１ａに設けられており、光源ユニット３に臨むよう配置されている。
【００１９】
前述の反射板非配置領域１９ａ，１９ｂ，１９ｃには、各点灯装置１７ａ−１，１７ａ−２，１７ｂ−１，１７ｂ−２に電力を供給するための主配線２６も配置されている（図３参照）。この主配線２６は、ケーシング側面部９ｂに設けられた電源スイッチ２７（図２参照）からケーシング５内部に延びて引き回し配置されている。具体的には、反射板非配置領域１９ａから反射板非配置位置領域１９ｃを通って反射板非配置領域１９ｂに至るように配線されている。この主配線２６は、各点灯装置１７ａ−１，１７ａ−２，１７ｂ−１，１７ｂ−２とケーシング側面部９ａ，９ｂとの間のスペースに通されており、光源ユニット３と点灯装置とを接続する後述の電線４６の邪魔にならない（図１５参照）。なお、主配線２６には、各点灯装置１７ａ−１，１７ａ−２，１７ｂ−１に接続するために分岐した分岐線２８が設けられており、各点灯装置は互いに並列接続されている。また、主配線２６には、電源スイッチ２７を介して装置本体２外部に延びる電源ケーブル（図示省略）が接続されている。
【００２０】
本実施形態では、反射板非配置領域１９ａ，１９ｂ，１９ｃ，１９ｄに、点灯装置及び主配線２６が配置されており、反射板１６の上に点灯装置や主配線２６がないため、図３のようにケーシング５から発光面構成体６及び光源ユニット３が取り外された状態にすれば、点灯装置や主配線２６に邪魔されることなく、簡単に反射板１６を取外し・取付けすることができ、劣化した反射板１６の交換が容易である。
【００２１】
図５は、装置本体２（のケーシング５）に装着される光源ユニット３を示している。この光源ユニット３は、複数（６本）の線状光源３０を連結具３１にて一体化したものであり、ケーシングに対して複数の線状光源３０を一体的に着脱することができる。
線状光源３０は、直管状の蛍光ランプであり、より具体的には冷陰極管である。冷陰極管は、一般的な蛍光ランプとして使用されている熱陰極管に比べて、長寿命である。また、熱陰極管は管径が２０〜４０ｍｍであって、その構造上、管径を細くするのが困難であるのに対し、冷陰極管は、その構造上、管径を細くできる。したがって、光源ユニット３をコンパクトにでき、ひいては装置本体２の厚みを薄くすることができる。なお、冷陰極管の管径としては２〜６ｍｍ程度のものを使用するのが好ましい。
【００２２】
図６（ａ）に示すように、冷陰極管３０には、ガスが封入された管本体３３内部の長手方向両端に電極３４ａ，３４ｂを備えて構成されている。また、これらの電極３４ａ，３４ｂからはリード端子３５が管本体３３外部に延設されている。なお、冷陰極管３０の電極３４ａ，３４ｂ近傍は、その原理上、点灯時であっても冷陰極管３０の長手方向中途部の有効発光域Ｅ１に比べて暗い非有効発光領域Ｅ２，Ｅ２となる。
図６（ｂ）に示すように、冷陰極管３０には、長手方向両端をそれぞれ覆うように断熱材３７が設けられている。この断熱材３７は、シリコンゴム製であり、電極３４ａ，３４ｂを略覆うように管本体３３に嵌合されており、電極３４ａ，３４ｂが発熱して温度が高くなっても他の部材（特に、連結具３１）に熱が伝わらないように保護している。断熱材３７を構成するシリコンゴムは、難燃性であるとともに電気絶縁性も有するため、連結具３１等に対する絶縁体としても機能する。
【００２３】
また、冷陰極管３０は、断熱材３７を介して連結具３１に保持されるため、断熱材３７は、かかる保持のための保持体としても機能する。保持体として機能するため、シリコンゴム３７には、溝部３８が形成されている。
複数の冷陰極管３０は、冷陰極管長手方向に直交する方向に所定間隔をおいて並設されており、この状態で、各冷陰極管３０の長手方向両端部が連結具３１によって保持連結されている。
【００２４】
連結具３１は、冷陰極管３０の長手方向一端側（の断熱材３７；保持体）に取り付けられる第１連結片４０と、冷陰極管３０の長手方向他端側（の断熱材３７；保持体）に取り付けられる第２連結片４１とによって構成されている。冷陰極管３０の長手方向両端で保持することで、複数の冷陰極管３０の保持状態が安定する。また、連結片４０，４１は冷陰極管３０の非有効発光領域Ｅ２に取り付けられているので、連結片４０，４１を取り付けても冷陰極管３０の発光を阻害することにならない。
【００２５】
各連結片４０、４１は、金属製であって、帯板状に形成されており、各連結片４０，４１は、冷陰極管３０の本数に応じた光源取付部４３を有している。また、各連結片４０，４１の長手方向両端と中途部には、連結片４０，４１をネジ４２ａでケーシング５に取り付けるためのネジ孔４２ｂが形成されている。また、反射板１６及びケーシング５にもネジ４２ａ用のネジ孔４２ｃが形成されている（図３参照）。
【００２６】
光源取付部４３は、連結片４０，４１の長手方向に所定間隔をおいて並設されている。図７（ａ）に示すように、各光源取付部４３は、一対の立ち上がり爪４４，４４を有しており、一方の立ち上がり爪４４には、その上部に幅狭の首部４４ａが形成され、首部４４ａよりも上部が抜止め片４４ｂとされている。
図７（ｂ）に示すように、立ち上がり爪４４を保持体３７に形成された溝部３８，３８に差し込み、一方の立ち上がり爪４４の首部４４ａを曲げて、抜止め片４４ｂにより保持体３７を抜け止めすることで、冷陰極管３０が各連結片４０，４１に位置決め固定される。なお、首部４４ａの曲げを戻すことで、冷陰極管３０を連結片４０，４１から取り外すこともできる。すなわち、各冷陰極管３０を個別に連結具３１から取り外すことができる。
【００２７】
各冷陰極管３０の第１連結片４０側の各リード端子３５には、それぞれ電線４６が接続されており、各電線４６の先端にはそれぞれコネクタ部４７が設けられている。これらのコネクタ部４７は、点灯装置１７の高圧側の出力コネクタ部２５ａに接続される。したがって、第１連結片４０側の電極３４ａは高圧側電極となる。
【００２８】
図８に示すように、冷陰極管３０の第２連結片４１側の端部（保持体３７）には、帯板状の導電板４８が設けられている。この導電板４８は、複数の冷陰極管３０の第２連結片４１側の各リード端子３５に対してハンダ４８ａ等によって固定されており、第２連結片４１側の各リード端子３５間が互いに電気的に接続された状態となっている。この導電板４８には、一本の電線４９が接続されており、この電線４９の先端にはコネクタ部５０が設けられている。コネクタ部５０は、点灯装置１７の低圧側の出力コネクタ部２５ｂに接続される。したがって、第２連結片４０側の電極３４ｂは低圧側電極となる。また、複数の冷陰極管３０に対して単一の低圧側コネクタ部５０が設けられているため、配線が簡素であり、接続も容易である。
【００２９】
図９は、図３のケーシング５内に複数（４個）の光源ユニット３を設置した状態を示している。各光源ユニット３は、反射板１６に重なる位置に配置され、光源ユニット３の背後に反射板１６が位置する。各光源ユニット３はネジ４２ａによってそれぞれケーシング５に取り付けられており、個別に着脱することができる。光源ユニット３単位で線状光源３０を着脱できるため、複数の線状光源３０を一括して交換することができる。
【００３０】
ここで、各光源ユニット３は、一枚のＸ線写真の大きさに略対応した大きさに形成されている。一方、拡散板（発光面）１１は、複数枚のＸ線写真を並べることができる大きさに形成されており、光源ユニット３が複数設けられているのは拡散板１１の大きさに対応したものである。また、光源ユニット３は、複数の線状光源３０を並設した状態で連結したものであるから、全体形状が矩形面状である。
前述のように光源ユニット単位で線状光源３０が交換されるため、一つの光源ユニット３内の線状光源３０の輝度が揃いやすく、発光面１１において、一つの光源ユニット３によって発光する範囲では、ほぼ均一な輝度が確保される。そして、一つの光源ユニット３によって発光する範囲は、一定の範囲を持つ面状であるから、Ｘ線写真の読影を正確に行うことができる。しかも、一つの光源ユニット３（によって発光する範囲）の大きさがＸ線写真の大きさに対応していることから、仮に光源ユニット３間で輝度差があっても光源ユニット３の位置に合わせてＸ線写真を置くことで輝度ムラがほとんどない状態で読影を行うことができる。
【００３１】
また、反射板１６は、図３に示す状態では、ケーシング底部８に単に載せられているだけであるが、ケーシング５に光源ユニット３を装着することで、連結具３１（連結片４０，４１）とケーシング底部８とで反射板１６を挟み込んだ状態となって、反射板１６がケーシング５に固定される。したがって、ネジ４２ａを外して光源ユニット３を取り外すことで、反射板１６をケーシング５から取り外すことができる。
【００３２】
各光源ユニット３は、ケーシング５内において、線状光源３０の長手方向と直交する方向に並設されている。また、４個の光源ユニット３が設けられていることにより、計２４本の線状光源３０が備わっているが、隣接する光源ユニット３間の線状光源３０の間隔も含めて、隣接する線状光源３０間の間隔がすべて等しくなっている。
それぞれの光源ユニット４は、隣接する光源ユニット３に対して長手方向の向きが反対になるように並べられている。すなわち、図９において最も左側にある光源ユニット３−１は、第１連結片４０が第１反射板非配置領域１９ａ側（図９において下側）に配置され、第２連結片４１（及び導電板４８）が第２反射板非配置領域１９ｂ側（図９において上側）に配置されている。したがって、高圧側コネクタ４７が接続されている冷陰極管電極４３ａは、第１反射板非配置領域１９ａ側にあり、低圧側コネクタ５０が接続されている冷陰極管電極４３ｂは、第２反射板非配置領域１９ｂ側にある。
【００３３】
そして、光源ユニット３−１の右隣りの光源ユニット３−２は、長手方向の向きが光源ユニット３−２とは逆であり、第１連結片４０が第２反射板非配置領域１９ｂ側に配置され、第２連結片４１（及び導電板４８）が第１反射板非配置領域１９ａ側に配置されている。したがって、高圧側コネクタ４７に接続されている冷陰極管電極４３ａは、第２反射板非配置領域１９ｂ側にあり、低圧側コネクタ５０に接続されている冷陰極管電極４３ｂは、第１反射板非配置領域１９ａ側にある。
さらに、光源ユニット３−２の右隣りの光源ユニット３−３は、長手方向の向きが光源ユニット３−２とは逆であって、光源ユニット３−１と同じ向きとされている。さらに、光源ユニット３−３の右隣りの（図９において最も右側にある）光源ユニット３−４は、長手方向の向きが光源ユニット３−３とは逆であって、光源ユニット３−２と同じ向きとされている。
【００３４】
前記点灯装置１７ａ−１，１７ａ−２，１７ｂ−１，１７ｂ−２は、各光源ユニットをそれぞれ点灯するものであり、図１０に示すように、第１点灯装置１７ａ−１は光源ユニット３−１を、第２点灯装置１７ｂ−１は光源ユニット３−２を、第１点灯装置１７ａ−２は光源ユニット３−３を、第２点灯装置１７ｂ−２は光源ユニット３−４を点灯するよう接続されている。
また、前記点灯装置１７ａ−１，１７ａ−２，１７ｂ−１，１７ｂ−２は、冷陰極管３０の高圧側電極４３ａ側の反射板非配置領域１９ａ，１９ｂに位置するように、光源ユニット３の方向性に対応して配置されている。すなわち、第１点灯装置１７ａ−１，１７ａ−２は第１反射板非配置領域１９ａにあり、第２点灯装置１７ｂ−１，１７ｂ−２は第２反射板非配置領域１９ｂにある。換言すると、第１点灯装置１７ａ−１，１７ａ−２が冷陰極管３０の長手方向一端側にあり、第２点灯装置１７ｂ−２，１７ｂ−２は冷陰極管３０の長手方向他端側にある。
【００３５】
点灯装置は、熱を発生するが、前述のように複数の点灯装置を冷陰極管３０の長手方向両側方の複数の反射板非配置領域１９ａ，１９ｂに分散配置することで、熱発生源が分散され、装置内の温度上昇を防止できる。また、冷陰極管は温度上昇により輝度が低下するため、温度上昇防止により輝度低下防止も図れる。また、点灯装置を分散配置することで、点灯装置の長手方向長さが光源ユニット３の幅よりも大きくても、点灯装置の設置が可能である。
また、各点灯装置１７ａ−１，１７ａ−２，１７ｂ−１，１７ｂ−２と、各点灯装置によって点灯される冷陰極管３０の高圧側電極４３ａとが近くなるように、各点灯装置１７ａ−１，１７ａ−２，１７ｂ−１，１７ｂ−２は、当該点灯装置によって点灯する光源ユニットの長手方向延長位置に配置されている。これにより、高圧側の電線４６の長さを短くでき、電線４６に高周波の電流を流しても漏れ電流が少なくなり、消費電力を低減できる。また、点灯装置の高圧側出力のコネクタ部２５ａが冷陰極管３０（の電極４３）側に向くように立設した基板２１の一面２１ａ側に設けられているため、点灯装置コネクタ部２５ａと冷陰極管高圧側電極４３ａとの間の距離を短くすることができる。
【００３６】
なお、点灯装置を冷陰極管高圧側電極４３ａ側に配置したことにより、点灯装置と冷陰極管低圧側電極４３ｂとが遠くなるが、低圧側の電線４９は長くなっても高圧側電線４６に比べて漏れ電流が少なく、装置全体での漏れ電流を抑えることができる。また、低圧側の電線４９は長くなっても、一つの光源ユニット３において一本だけであるため、配線も簡素である。
また、低圧側電線４９の長さをできるだけ短くすべく、電線４９は、反射板１６とケーシング底部８との間に通されている。図示の光源ユニット３と点灯装置の配置からすると、電線４９を反射板１６とケーシング底部８との間に通さない場合には、電線４９を反射板非配置領域１９ａ，１９ｂ，１９ｃ，１９ｄに迂回させるか、電線４９を反射板１６の上に通す必要がある。しかし、前者では電線４９が長くなり、特に光源ユニット３−２，３−３については電線４９が非常に長くなる。また、後者では反射板１６上にある電線４９が影となって発光品位を低下させる。これに対し、反射板１６とケーシング底部８との間を通すことで、かかる問題を回避できる。
【００３７】
図１１（ａ）に示すように、ケーシング底部８の上にある反射板１６は、電線４９が通されていなければ平坦であるが、図１１（ｂ）に示すように、電線４９が通されている部分１６−１は、反射板１６が可撓性のシート体であるため、冷陰極管３０側に膨出状に変形する。
ここで、反射板１６が変形していないときの反射板１６と冷陰極管３０との距離をＬ１とし、反射板１６が変形したときの反射板１６と冷陰極管３０との距離をＬ２とすると、反射板１６の変形によってＬ２はＬ１より小さくなる。本実施形態では、反射板１６が電線４９によって変形しても、シート体１６の膨出部１６−１先端が冷陰極管３０の背後（ケーシング底面部側）に位置して、反射板１６と冷陰極管３０との間の間隔Ｌ２が確保されるように、冷陰極管３０を反射板１６から離して比較的大きな距離Ｌ１をとっている。反射板変形時に間隔Ｌ２が確保されないと、反射板１６が冷陰極管３０に接触するなどして発光品位が低下するが、間隔Ｌ２を確保することで、反射板１６が変形しても発光品位低下を防止できる。
なお、比較的大きな距離Ｌ１を確保するには、冷陰極管３０の長手方向両端に設けられる断熱材（保持体）３７を大きくしたり、連結片４０，４１の厚みを大きくすればよい。
【００３８】
図１２は、発光面構成体６の背面図を示しており、発光面構成体６のフレーム１２の背面側（内側）には、側部反射体５１ａ，５１ｂ，５１ｃ，５１ｄが設けられている。側部反射板５１ａ，５１ｂ，５１ｃ，５１ｄは、発光面構成体５がケーシング５に装着されたときに、ケーシング５内において線状光源３０の側方に位置し、光源３０から直接、拡散板１１に向かわずに側方に照射された拡散板１１側に反射するためのものである。なお、側部反射板５１ａ，５１ｂ，５１ｃ，５１ｄは金属製であって、線状光源３０側の面は白色塗装されている。
側部反射体５１ａ，５１ｂ，５１ｃ，５１ｄは、矩形枠状のフレーム１２の四辺すべてに設けられており、線状光源３０の長手方向両側方に位置する一対の（長辺）側部反射体５１ａ，５１ｂと、各側部反射体５１ａ，５１ｂの両端をそれぞれつなぐ一対の（短辺）側部反射体５１ｃ，５１ｄとを備え、側部反射体５１ａ，５１ｂ，５１ｃ，５１ｄ全体で矩形枠状となっている（図１３及び図１４参照）。
【００３９】
図１５に示すように、側部反射体５１ａ，５１ｂ，５１ｃ，５１ｄは、フレーム１２の背面側にネジ５３によって固定されている。なお、当該ネジ５３によって拡散板１１もフレーム１２に固定されている。
側部反射体が備わった発光面構成体６をケーシング５に装着すると、側部反射体５１ａ，５１ｂ，５１ｃ，５１ｄは、フレーム１２から反射体１６の近傍まで延び、ケーシング５内部には、拡散板１１、反射板１６、及び側部反射体５１ａ，５１ｂ，５１ｃ，５１ｄによって囲まれた発光室５５が形成される。光源ユニット３は、長手方向両端（連結片４０，４１近傍）を除く大部分（有効発光領域Ｂ１）が発光室５５内に位置する。なお、側部反射体５１ａ，５１ｂ，５１ｃ，５１ｄの延出方向先端５６は、ケーシング底部８の反射板１６とは接触しておらず浮いた状態となっており、反射板１６が側部反射体によって損傷するのが防止され、ひいては反射板１６損傷による発光品位低下が防止されている。
【００４０】
側部反射体５１ａ，５１ｂ，５１ｃ，５１ｄの背後空間５７（ケーシング側面部９ａ，９ｂ，９ｃ，９ｄ、ケーシング底面部８（の反射板非配置領域１９ａ，１９ｂ，１９ｃ，１９ｄ）、フレーム１２、及び側部反射体５１ａ，５１ｂ，５１ｃ，５１ｄで化もまれた空間）には、点灯装置１７ａ−１，１７ａ−２，１７ｂ−１，１７ｂ−２、光源ユニット３の連結具３１、線状光源３０の非有効発光領域Ｂ２、配線４６などが収納され、発光室５５から隔離されている。特に、線状光源３０の非有効発光領域Ｂ２が発光室５５に位置しないことで、発光室５５内において発光ムラが生じず、発光品位が向上する。
また、熱を発生する点灯装置１７ａ−１，１７ａ−２，１７ｂ−１，１７ｂ−２や線状光源３０の長手方向両端の電極３４ａ，３４ｂが、側部反射体によって発光室５５とは仕切られた背後空間５７に位置しているため、発光室５５の温度の上昇が抑えられている。しかも、ケーシング側面部９ａ，９ｂ，９ｃ，９ｄに形成された空気孔６０によって背後空間５７自体の冷却も確保される。また、空気孔６０から外気がケーシング内に進入しても、側部反射体によって発光室５５に外気が進入し難いため温度の急激な変化を防止でき、線状光源３０の輝度のふらつきを防止できる。
【００４１】
線状光源３０は、発光室５５と背後空間５７に跨って位置しているため、線状光源３０の長手方向両側の側部反射体５１ａ，５１ｂには、線状光源３０が貫通するための切欠部５８が線状光源３０の数に対応して形成されている。
また、線状光源３０は、側部反射体によって区切られた発光室５５と背後空間５７に跨っているが、発光面構成体６を取り外せば、側部反射体がなくなり、ケーシング５内において光源ユニット３全体が露出し、光源ユニット３の取外しが可能となる。また、点灯装置・コネクタ・配線類も露出し、コネクタ接続などが可能となる。このように、本実施形態では、発光面構成体６を取り外すだけで、装置内部の保守・点検が行える。
なお、本発明は、上記実施形態に限定されるものではない。
【００４２】
【発明の効果】
光源ユニットに係る本発明によると、複数の線状光源が一体的となっているので、複数の線状光源の一括した取付・交換を行うことができる。
また、複数の線状光源が低圧側出力用の単一のコネクタを備えている場合には、点灯装置への接続が容易となる。
さらに、連結具が第１連結片と第２連結辺とからなる場合には、光源ユニットが安定する。
【００４３】
そして、発光装置に係る本発明によると、光源ユニット単位で複数の線状光源を一括して交換等することができる。
また、反射板が装置本体と光源ユニットの連結具とで挟まれて保持されている場合には、光源ユニットを装置本体から取り外すことで、簡単に反射板も取り外すことができる。
【図面の簡単な説明】
【図１】シャウカステンの平面図である。
【図２】シャウカステンの側面図である。
【図３】光源ユニットを取り除いたケーシング内部の平面図である。
【図４】点灯装置の側面図である。
【図５】光源ユニットの斜視図である。
【図６】（ａ）は冷陰極管の正面図であり、（ｂ）は断熱材（保持体）を取り付けた冷陰極管の正面図である。
【図７】（ａ）は連結具と冷陰極管の組立図であり、（ｂ）は組立後の冷陰極管と連結具を示す斜視図である。
【図８】光源ユニットの第２連結片側（低圧側）を示す拡大図である。
【図９】光源ユニットを装着したケーシング平面図である（主配線２６及び電線４６は省略されている）。
【図１０】ケーシング内部の電気配線図である。
【図１１】（ａ）はケーシング底部、反射板、及び光源の断面図であり、（ｂ）は（ａ）のケーシング底部と反射板の間に電線が通っている状態を示す断面図である。
【図１２】発光面構成体の背面図である。
【図１３】図１２のＡ−Ａ線断面図である。
【図１４】発光面構成体とケーシングの組立図である。
【図１５】図１のＢ−Ｂ線断面図である。
【符号の説明】
１　シャウカステン（発光装置）
２　装置本体
３　光源ユニット
１６　反射板
１７ａ−１　第１点灯装置
１７ａ−２　第１点灯装置
１７ｂ−１　第２点灯装置
１７ｂ−２　第２点灯装置
２５ａ　高圧側出力のコネクタ部
２５ｂ　低圧側出力のコネクタ部
３０　線状光源
３１　連結具
３４ａ　高圧側電極
３４ｂ　低圧側電極
４０　第１連結片
４１　第２連結片
【図１】
2004039392.tif 000003
【図２】
2004039392.tif 000004
【図３】
2004039392.tif 000005
【図４】
2004039392.tif 000006
【図５】
2004039392.tif 000007
【図６】
2004039392.tif 000008
【図７】
2004039392.tif 000009
【図８】
2004039392.tif 000010
【図９】
2004039392.tif 000011
【図１０】
2004039392.tif 000012
【図１１】
2004039392.tif 000013
【図１２】
2004039392.tif 000014
【図１３】
2004039392.tif 000015
【図１４】
2004039392.tif 000016
【図１５】
2004039392.tif 000017